【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
燃料容器と、発電装置本体と、を備える発電装置において、
前記燃料容器が、
内部空間を有する容器本体と、
前記容器本体の外壁から前記内部空間に貫通して設けられ、前記容器本体の外側と前記内部空間をつなぐポートと、
前記容器本体の外側から前記容器本体の内側にかけて設けられるとともに、前記容器本体の外側及び内側において露出した複数の伝熱部材と、を有し、
前記発電装置本体が、
前記容器本体が装着される装着部と、
前記複数の伝熱部材に対応して前記装着部に設けられた複数のヒータと、を有することを特徴とする発電装置。
【請求項２】
前記複数のヒータが、前記装着部に設けられ、加熱媒体が流れる流路を有する熱交換器であることを特徴とする請求項１に記載の発電装置。
【請求項３】
前記発電装置本体が、固体酸化物型燃料電池を有し、
前記固体酸化物型燃料電池からの排出物が前記加熱媒体として前記流路を流れることを特徴とする請求項２に記載の発電装置。
【請求項４】
前記複数のヒータが電熱材であることを特徴とする請求項１に記載の発電装置。
【請求項５】
前記複数のヒータが温度センサー兼電熱ヒータであることを特徴とする請求項１に記載の発電装置。
【請求項６】
前記発電装置本体が、
前記複数のヒータをそれぞれ覆うようにして前記装着部に設けられた複数の伝熱板を有し、
前記複数の伝熱板が前記複数の伝熱部材にそれぞれ接することを特徴とする請求項４又は請求項５に記載の発電装置。
【請求項７】
内部空間を有する容器本体と、
前記容器本体の外壁から前記内部空間に貫通して設けられ、前記容器本体の外側と前記内部空間をつなぐポートと、
前記容器本体の外側から前記容器本体の内側にかけて設けられるとともに、前記容器本体の外側及び内側において露出した複数の伝熱部材と、を備えることを特徴とする燃料容器。
【請求項８】
前記伝熱部材は、前記内部空間内に突出した状態で設けられていることを特徴とする請求項７に記載の燃料容器。
【請求項９】
請求項７又は８に記載の燃料容器の前記容器本体が装着される装着部と、
前記複数の伝熱部材に対応して前記装着部に設けられた複数のヒータと、を備えることを特徴とする発電装置本体。
【請求項１０】
内部空間を有する容器本体を含む燃料容器の前記容器本体が装着される装着部と、
前記装着部に設けられた複数のヒータと、を備えることを特徴とする発電装置本体。
【請求項１１】
内部空間を有する容器本体と、
前記容器本体の外壁から前記内部空間に貫通して設けられ、前記容器本体の外側と前記内部空間をつなぐポートと、
前記容器本体の外側から前記容器本体に内側にかけて設けられるとともに、前記容器本体の外側及び内側において露出した複数の伝熱部材と、を備え、前記容器本体内に固体状燃料が収容されている燃料容器から燃料を供給する方法であって、
前記複数の伝熱部材のうち前記ポートから遠いものを優先して加熱することを特徴とする燃料供給方法。
【請求項１２】
内部空間を有する容器本体と、
前記容器本体の外壁から前記内部空間に貫通して設けられ、前記容器本体の外側と前記内部空間をつなぐポートと、
前記内部空間において前記ポートから離れる方向に向かって順に配列され、前記内部空間を複数の領域に分け、孔を有する複数の仕切板と、
前記容器本体の外側から前記容器本体の内側にかけて設けられるとともに前記容器本体の外側及び内側において露出し、前記各領域に前記ポートから前記ポートに離れる方向に向かって順に配列された複数の伝熱部材と、を備え、前記複数の領域のそれぞれに固体状燃料が収容されている燃料容器から燃料を供給する方法であって、
前記複数の伝熱部材のうち、固体状燃料の残量が容量の２０％以上の領域にある伝熱部材であって前記ポートから遠いものを優先して加熱することを特徴とする燃料供給方法。
【請求項１３】
内部空間を有する容器本体と、
前記容器本体の外壁から前記内部空間に貫通して設けられ、前記容器本体の外側と前記内部空間をつなぐポートと、
前記内部空間内において前記ポートから離れる方向に向かって順に配列され、前記内部空間を複数の領域に分け、孔を有する複数の仕切板と、
前記容器本体の外側から前記容器本体の内側にかけて設けられるとともに前記容器本体の外側及び内側において露出し、前記各領域に前記ポートから前記ポートに離れる方向に向かって順に配列された複数の伝熱部材と、を備え、前記複数の領域のそれぞれに固体状燃料が収容されている燃料容器内の固体状燃料の目安残量を算出する方法であって、
前記複数の伝熱部材のうち何れかを温度センサー兼電熱ヒータで加熱し、それぞれ前記複数の領域のうち何れかの温度を検出する複数の温度センサーによる検出温度に対応した単位時間当たりの放出量に微小時間を乗じてその積を積分して得た放出量を燃料容量から減じて得た量を当該温度センサー兼電熱ヒータによって加熱される伝熱部材のある領域内にある固体状燃料の目安残量とする目安残量算出方法。
【請求項１４】
内部空間を有する容器本体と、
前記容器本体の外壁から前記内部空間に貫通して設けられ、前記容器本体の外側と前記内部空間をつなぐポートと、
前記内部空間内において前記ポートから離れる方向に向かって順に配列され、前記内部空間を複数の領域に分け、孔を有する複数の仕切板と、
前記容器本体の外側から前記容器本体の内側にかけて設けられるとともに前記容器本体の外側及び内側において露出し、前記各領域に前記ポートから前記ポートに離れる方向に向かって順に配列された複数の伝熱部材と、を備え、前記複数の領域のそれぞれに固体状燃料が収容されている燃料容器から燃料を供給する方法であって、
前記複数の伝熱部材のうち何れかを加熱している際に前記ポートから出る燃料の流量を検出し、その検出流量が少ない場合に、当該伝熱部材の加熱を停止するとともに次に前記ポートに近い伝熱部材を加熱することを特徴とする燃料供給方法。
【請求項１５】
内部空間を有する容器本体と、
前記容器本体の外壁から前記内部空間に貫通して設けられ、前記容器本体の外側と前記内部空間をつなぐポートと、
前記内部空間内において前記ポートから離れる方向に向かって順に配列され、前記内部空間を複数の領域に分け、孔を有する複数の仕切板と、
前記容器本体の外側から前記容器本体の内側にかけて設けられるとともに前記容器本体の外側及び内側において露出し、前記各領域に前記ポートから前記ポートに離れる方向に向かって順に配列された複数の伝熱部材と、を備え、前記複数の領域のそれぞれに固体状燃料が収容されている燃料容器から燃料を供給する方法であって、
前記複数の伝熱部材のうち何れかを温度センサー兼電熱ヒータで加熱し、それぞれ前記複数の領域のうち何れかの温度を検出する複数の温度センサーによる検出温度に対応した単位時間当たりの放出量に微小時間を乗じてその積を積分して得た放出量を燃料容量から減じて得た量を当該温度センサー兼電熱ヒータによって加熱される伝熱部材のある領域内にある固体状燃料の目安残量とし、
当該伝熱部材を加熱している際に前記ポートから出る燃料の流量を検出し、その検出流量が少ない場合であって前記目安残量がゼロでない場合に、当該伝熱部材に加えて次に前記ポートに近い伝熱部材を加熱することを特徴とする燃料供給方法。
【請求項１６】
内部空間を有する容器本体と、
前記容器本体の外壁から前記内部空間に貫通して設けられ、前記容器本体の外側と前記内部空間をつなぐポートと、
前記内部空間内において前記ポートから離れる方向に向かって順に配列され、前記内部空間を複数の領域に分け、孔を有する複数の仕切板と、
前記容器本体の外側から前記容器本体の内側にかけて設けられるとともに前記容器本体の外側及び内側において露出し、前記各領域に前記ポートから前記ポートに離れる方向に向かって順に配列された複数の伝熱部材と、を備え、前記複数の領域のそれぞれに固体状燃料が収容されている燃料容器から燃料を供給する方法であって、
前記複数の伝熱部材のうち何れかを温度センサー兼電熱ヒータで加熱し、それぞれ前記複数の領域のうち何れかの温度を検出する複数の温度センサーによる検出温度に対応した単位時間当たりの放出量に微小時間を乗じてその積を積分して得た放出量を燃料容量から減じて得た量を当該温度センサー兼電熱ヒータによって加熱される伝熱部材のある領域内にある固体状燃料の目安残量とし、
当該伝熱部材を加熱している際に前記ポートから出る燃料の流量を検出し、その検出流量が少ない場合であって前記目安残量がゼロである場合に、当該伝熱部材に加熱を停止するとともに次に前記ポートに近い伝熱部材を加熱することを特徴とする燃料供給方法。